(57)【要約】【課題】  機密性ジョブ情報の実行し忘れによる弊害を防止することを課題とする。【解決手段】  第１の機密性ジョブ情報及びユーザー識別情報を受信する第１の受信ステップ（S302）と、ユーザー識別情報に対応する第１の機密性ジョブ情報とは別の未処理の第２の機密性ジョブ情報が存在するか否かを検索する検索ステップ（S303）と、第２の機密性ジョブ情報が存在する場合にはその旨を送信する送信ステップ（S304）とを有する画像処理方法が提供される。【選択図】  図３
2005144993.tif 000002
【特許請求の範囲】
【請求項１】
第１の機密性ジョブ情報及びユーザー識別情報を受信する第１の受信ステップと、
前記ユーザー識別情報に対応する前記第１の機密性ジョブ情報とは別の未処理の第２の機密性ジョブ情報が存在するか否かを検索する検索ステップと、
前記第２の機密性ジョブ情報が存在する場合にはその旨を送信する送信ステップと
を有することを特徴とする画像処理方法。
【請求項２】
さらに、パスワード入力により前記第１及び／又は第２の機密性ジョブ情報の実行が指示されると、前記第１及び／又は第２の機密性ジョブ情報の処理を実行する実行ステップを有することを特徴とする請求項１記載の画像処理方法。
【請求項３】
前記実行ステップは、前記第１及び第２の機密性ジョブ情報の実行が指示されると、前記第１及び第２の機密性ジョブ情報を並行処理することを特徴とする請求項２記載の画像処理方法。
【請求項４】
さらに、前記第１の機密性ジョブ情報に対応する第１のパスワードを受信する第２の受信ステップと、
前記第１の機密性ジョブ情報を実行するためにユーザーによる第２のパスワードを入力する入力ステップと、
前記第１のパスワード及び前記第２のパスワードが一致する場合には前記第１の機密性ジョブ情報の処理を実行する実行ステップと
を有することを特徴とする請求項１記載の画像処理方法。
【請求項５】
さらに、前記第２の機密性ジョブ情報が存在する場合には前記第２の機密性ジョブ情報のパスワードを前記第１の機密性ジョブ情報と同じ前記第１のパスワードに設定するパスワード設定ステップを有することを特徴とする請求項４記載の画像処理方法。
【請求項６】
前記検索ステップは、前記第１の機密性ジョブ情報の受信が前回の機密性ジョブ情報の受信から所定時間経過しているときには前記第２の機密性ジョブ情報が存在するか否かを検索し、所定時間を経過していないときには検索しないことを特徴とする請求項１〜５のいずれか１項に記載の画像処理方法。
【請求項７】
前記第１及び第２の機密性ジョブ情報は、印刷動作を行なう印刷ジョブ情報、複写動作を行なう複写ジョブ情報、スキャン動作を行なうスキャンジョブ情報、ファクシミリ送受信動作を行なうファクシミリ送受信ジョブ情報、又は電子メールの送受信動作を行なう電子メール送受信ジョブ情報であることを特徴とする請求項１〜６のいずれか１項に記載の画像処理方法。
【請求項８】
第１の機密性ジョブ情報及びユーザー識別情報を送信する第１の送信ステップと、
前記ユーザー識別情報に対応する前記第１の機密性ジョブ情報とは別の未処理の第２の機密性ジョブ情報が存在するか否かの情報を受信する受信ステップと
を有することを特徴とする画像処理方法。
【請求項９】
さらに、前記一又は複数の第２の機密性ジョブ情報の一覧を表示する表示ステップを有することを特徴とする請求項８記載の画像処理方法。
【請求項１０】
さらに、前記表示された第２の機密性ジョブ情報の中から処理すべき機密性ジョブ情報を選択して送信する第２の送信ステップを有することを特徴とする請求項９記載の画像処理方法。
【請求項１１】
さらに、入力された前記第１の機密性ジョブ情報のパスワードを送信する第３の送信ステップを有することを特徴とする請求項８〜１０のいずれか１項に記載の画像処理方法。
【請求項１２】
さらに、入力された前記第１の機密性ジョブ情報及び前記選択された第２の機密性ジョブ情報の共通パスワードを送信する第３の送信ステップを有することを特徴とする請求項１０記載の画像処理方法。
【請求項１３】
前記第１及び第２の機密性ジョブ情報は、印刷動作を行なう印刷ジョブ情報、複写動作を行なう複写ジョブ情報、スキャン動作を行なうスキャンジョブ情報、ファクシミリ送受信動作を行なうファクシミリ送受信ジョブ情報、又は電子メールの送受信動作を行なう電子メール送受信ジョブ情報であることを特徴とする請求項８〜１２のいずれか１項に記載の画像処理方法。
【請求項１４】
第１の機密性ジョブ情報及びユーザー識別情報を受信する第１の受信手段と、
前記ユーザー識別情報に対応する前記第１の機密性ジョブ情報とは別の未処理の第２の機密性ジョブ情報が存在するか否かを検索する検索手段と、
前記第２の機密性ジョブ情報が存在する場合にはその旨を送信する送信手段と
を有することを特徴とする画像処理装置。
【請求項１５】
さらに、パスワード入力により前記第１及び／又は第２の機密性ジョブ情報の実行が指示されると、前記第１及び／又は第２の機密性ジョブ情報の処理を実行する実行手段を有することを特徴とする請求項１４記載の画像処理装置。
【請求項１６】
前記実行手段は、前記第１及び第２の機密性ジョブ情報の実行が指示されると、前記第１及び第２の機密性ジョブ情報を並行処理することを特徴とする請求項１５記載の画像処理装置。
【請求項１７】
さらに、前記第１の機密性ジョブ情報に対応する第１のパスワードを受信する第２の受信手段と、
前記第１の機密性ジョブ情報を実行するためにユーザーによる第２のパスワードを入力する入力手段と、
前記第１のパスワード及び前記第２のパスワードが一致する場合には前記第１の機密性ジョブ情報の処理を実行する実行手段と
を有することを特徴とする請求項１４記載の画像処理装置。
【請求項１８】
さらに、前記第２の機密性ジョブ情報が存在する場合には前記第２の機密性ジョブ情報のパスワードを前記第１の機密性ジョブ情報と同じ前記第１のパスワードに設定するパスワード設定手段を有することを特徴とする請求項１７記載の画像処理装置。
【請求項１９】
前記検索手段は、前記第１の機密性ジョブ情報の受信が前回の機密性ジョブ情報の受信から所定時間経過しているときには前記第２の機密性ジョブ情報が存在するか否かを検索し、所定時間を経過していないときには検索しないことを特徴とする請求項１４〜１８のいずれか１項に記載の画像処理装置。
【請求項２０】
前記第１及び第２の機密性ジョブ情報は、印刷動作を行なう印刷ジョブ情報、複写動作を行なう複写ジョブ情報、スキャン動作を行なうスキャンジョブ情報、ファクシミリ送受信動作を行なうファクシミリ送受信ジョブ情報、又は電子メールの送受信動作を行なう電子メール送受信ジョブ情報であることを特徴とする請求項１４〜１９のいずれか１項に記載の画像処理装置。
【請求項２１】
第１の機密性ジョブ情報及びユーザー識別情報を送信する第１の送信手段と、
前記ユーザー識別情報に対応する前記第１の機密性ジョブ情報とは別の未処理の第２の機密性ジョブ情報が存在するか否かの情報を受信する受信手段と
を有することを特徴とする画像処理装置。
【請求項２２】
さらに、前記一又は複数の第２の機密性ジョブ情報の一覧を表示する表示手段を有することを特徴とする請求項２１記載の画像処理装置。
【請求項２３】
さらに、前記表示された第２の機密性ジョブ情報の中から処理すべき機密性ジョブ情報を選択して送信する第２の送信手段を有することを特徴とする請求項２２記載の画像処理装置。
【請求項２４】
さらに、入力された前記第１の機密性ジョブ情報のパスワードを送信する第３の送信手段を有することを特徴とする請求項２１〜２３のいずれか１項に記載の画像処理装置。
【請求項２５】
さらに、入力された前記第１の機密性ジョブ情報及び前記選択された第２の機密性ジョブ情報の共通パスワードを送信する第３の送信手段を有することを特徴とする請求項２３記載の画像処理装置。
【請求項２６】
前記第１及び第２の機密性ジョブ情報は、印刷動作を行なう印刷ジョブ情報、複写動作を行なう複写ジョブ情報、スキャン動作を行なうスキャンジョブ情報、ファクシミリ送受信動作を行なうファクシミリ送受信ジョブ情報、又は電子メールの送受信動作を行なう電子メール送受信ジョブ情報であることを特徴とする請求項２１〜２５のいずれか１項に記載の画像処理装置。
【請求項２７】
請求項１〜１３のいずれか１項に記載の画像処理方法のステップをコンピュータに実行させるためのプログラム。
【発明の詳細な説明】
【技術分野】
【０００１】
本発明は、画像処理に関し、特に機密性ジョブの画像処理に関する。
【背景技術】
【０００２】
近年、レーザービームプリンタ（LBP）やインクジェットプリンタ（IJP）などの高画質化、低価格化の促進により、物理的な衝撃を与えずに紙などの記録媒体に印刷することが可能な、この種のノンインパクトプリンタが急速に普及してきている。そしてそのノンインパクトプリンタの普及に伴って、複写機のデジタル化が進展するとともに、複写機を単にコピー用に使用するだけではなく、その複写機にスキャナ機能、あるいはファクシミリ機能などを備えた、いわゆる複合機（Multi Function Printer：MFP）が急速に普及してきている。
【０００３】
このような複合機は、ネットワークに対してインターフェース機能をつかさどるネットワークインターフェースを有し、ネットワークに接続されたコンピュータなどを介して、前記複合機を複数のユーザーで共有することが可能である。そして、このように種々の機能を有する複合機を複数のユーザーで共有することによって、オフィススペースにおける機器の占有面積を減少させることが可能であり、機器の利用効率を向上させることも可能である。
【０００４】
また、このような複合機は、ハードディスクドライブ（HDD）の大容量化、半導体からなるメモリ装置の大容量化、低価格化が進んできており、これに伴い、記憶容量単位でのコストも低廉化してきている。そして、一部の複合機においては、プリンタ機能として、原稿画像やページ記述言語（Page Description Language：PDL）で記述された出力情報を画像データに変換し、その画像データを画像圧縮して一旦ハードディスクドライブ（HDD）やダイナミックランダムアクセスメモリ（DRAM）などに格納し、複数ページあるいは複数部数の画像データが蓄積された時点で、前記画像データを一括してリアルタイムに伸張しながら出力する方式が開発されている。
【０００５】
このような複合機においては、ページ記述言語（PDL）で記述された出力情報を画像展開するときの展開時間がデータの内容によって大幅に異なるため、複写機能、画像読み取り（スキャナ）機能、印刷（プリンタ）機能、ファクシミリ機能、などの複数の諸機能を見かけ上同時に実行することが可能となり、プリンタやスキャナの効率の良い使用が可能となる。すなわち、前記複合機においては、複数ページあるいは複数部数の画像データが蓄積された時点で、前記画像データを一括してリアルタイムに伸張しながら出力するので、複写機能が動作していないにもかかわらずプリントジョブ実行中は他のジョブ処理を実行することができないという不具合を解消することができる。
【０００６】
また、下記の特許文献１には、ＩＤカードを挿着すると複写機が出力指令を発する情報処理システムが記載されている。いわゆる親展印刷の一例が開示されている。
【０００７】
【特許文献１】特開平１１−１５０５５９号公報
【発明の開示】
【発明が解決しようとする課題】
【０００８】
しかしながら、前記従来の複合機において、たとえば、複数のユーザーが同時にプリント動作の指定をした場合、出力された各プリントジョブは排紙トレイ上で混在し、その結果、ユーザーがプリント動作の終了後に自己の出力されたプリントジョブを取りにきたときに、その出力されたプリントジョブを探すのに手間取るおそれがある。
【０００９】
このような不具合を解消する手段としては、排紙トレイをジョブごとにシフトさせて、ジョブごとの分別を見分けやすくしたり、あるいは、ソーターのビンをジョブごとに割り当てるなどの工夫をすることが考えられる。
【００１０】
ただし、このような工夫は、前記複合機を共有するユーザーが多い場合には、排紙トレイやソーターのビンが短時間で満杯をなってしまうため、根本的な解決策とはならない。
【００１１】
また、ユーザー自らプリント動作を指定して、プリントジョブを実行させたにもかかわらず、長時間の間、その出力されたプリントジョブを取りに行かずに放置した場合や、その出力されたプリントジョブを取りに行くのを忘れてしまった場合は、排紙トレイに記録用紙があふれ、自己のプリントジョブを探し出すのに長時間を要するおそれがある。
【００１２】
さらに、他人が自己のプリントジョブを間違って持ち去ったために、所望の出力されたプリントジョブを見つけ出すことができなくなるおそれもある。
【００１３】
このような不具合は、機密性が要求される情報を出力した場合には、特に深刻な問題となる。
【００１４】
このような不具合を解消する手段としては、機密性を有する文書情報などを出力する場合は、ユーザーがプリントジョブを実行させるときに、たとえば「セキュア印刷」というプリントジョブを指定して実行し、そのセキュア印刷となったプリントジョブに対して、パスワードが付加されて複合機に送信され、複合機においては、前記セキュア印刷となったプリントジョブに対して、実際のプリント動作を行なわずに前記複合機のハードディスクドライブ（HDD）などの大容量の記憶装置に蓄積しておき、その後ユーザーが複合機のパネルなどのユーザーインターフェースにおいて前記セキュア印刷のプリントジョブを指定し、そのセキュア印刷のプリントジョブに対応するパスワードを入力したあと、前記複合機のハードディスクドライブ（HDD）などの大容量の記憶装置から前記セキュア印刷となったプリントジョブを実行し、実際のプリント動作を行なうことで、出力される文書情報の機密性を確保することが行なわれている。
【００１５】
しかしながら、このように出力される文書情報の機密性を確保する場合においても、ユーザー自らセキュア印刷のプリントジョブを指定して、プリントジョブを実行させたにもかかわらず、長時間の間、その複合機のパネルなどのインターフェースにおいて、前記セキュア印刷のプリントジョブを指定し、そのセキュア印刷のプリントジョブに対応するパスワードを入力せずに、実際のプリント動作を放置した場合や、そのセキュア印刷のプリントジョブに対する実際のプリント動作を忘れてしまった場合は、前記複合機のハードディスクドライブ（HDD）などの大容量の記憶装置に記憶されたままとなり、そのセキュア印刷のプリントジョブに対する、実際のプリント動作がいつまでたっても実行されないおそれがある。
【００１６】
また、ユーザーがそのセキュア印刷のプリントジョブに対するパスワードを忘れてしまった場合には、管理者を呼び出す必要があるなど、特に不便である。
【００１７】
本発明の目的は、機密性ジョブ情報（セキュア印刷）の実行し忘れによる弊害を防止することである。
【課題を解決するための手段】
【００１８】
本発明の画像処理方法は、第１の機密性ジョブ情報及びユーザー識別情報を受信する第１の受信ステップと、前記ユーザー識別情報に対応する前記第１の機密性ジョブ情報とは別の未処理の第２の機密性ジョブ情報が存在するか否かを検索する検索ステップと、前記第２の機密性ジョブ情報が存在する場合にはその旨を送信する送信ステップとを有することを特徴とする。
また、本発明の画像処理方法は、第１の機密性ジョブ情報及びユーザー識別情報を送信する第１の送信ステップと、前記ユーザー識別情報に対応する前記第１の機密性ジョブ情報とは別の未処理の第２の機密性ジョブ情報が存在するか否かの情報を受信する受信ステップとを有することを特徴とする。
また、本発明の画像処理装置は、第１の機密性ジョブ情報及びユーザー識別情報を受信する第１の受信手段と、前記ユーザー識別情報に対応する前記第１の機密性ジョブ情報とは別の未処理の第２の機密性ジョブ情報が存在するか否かを検索する検索手段と、前記第２の機密性ジョブ情報が存在する場合にはその旨を送信する送信手段とを有することを特徴とする。
また、本発明の画像処理装置は、第１の機密性ジョブ情報及びユーザー識別情報を送信する第１の送信手段と、前記ユーザー識別情報に対応する前記第１の機密性ジョブ情報とは別の未処理の第２の機密性ジョブ情報が存在するか否かの情報を受信する受信手段とを有することを特徴とする。
また、本発明のプログラムは、上記の画像処理方法のステップをコンピュータに実行させるためのプログラムである。
【発明の効果】
【００１９】
新たな第１の機密性ジョブ情報を発行する際に未だ未処理の第２の機密性ジョブ情報が残存しているときには、その旨を通知することができるので、機密性ジョブ情報が不必要に増加することを防止できる。また、未処理の機密性ジョブ情報の実行し忘れを防止できる。
【発明を実施するための最良の形態】
【００２０】
以下、本発明の実施の形態を図面にしたがって説明する。
図１は、本発明の実施形態の画像処理システムの構成を説明する図である。
同図において、100は、コピー機能を持つ複写機にスキャナ機能、プリンタ機能、ファクシミリ機能などを備えた複合機（Multi Function Printer：MFP）であり、101は、前記複合機（MFP）に備わるパネルなどのユーザーインターフェース（UI）であり、102は、前記複合機（MFP）に備わる大容量の記憶装置としてのハードディスクドライブ（HDD）であり、110および120は、オフィスなどのパーソナルコンピュータ（PC）であり、前記複合機（MFP）と前記パーソナルコンピュータ（PC）は、130の社内LAN（ローカルエリアネットワーク）などのネットワークで接続されている。
【００２１】
図２は、本発明の実施形態の画像処理システムの構成要素を詳細に説明する図である。
同図において、100は、図１と同様に複合機（MFP）であり、101は、図１と同様に、前記複合機（MFP）に備わるパネルなどのユーザーインターフェース（UI）であり、102は、図１と同様に、前記複合機（MFP）に備わる大容量の記憶装置としてのハードディスクドライブ（HDD）であり、103は、前記複合機（MFP）の制御をつかさどる中央演算装置（Central Processing Unit：CPU）であり、104は、前記複合機（MFP）の処理全般において一時的な記憶領域として使用されるメモリであり、105は、前記複合機（MFP）に備わるネットワークインターフェースなどの入出力部（Input Output）であり、106は、画像データの読み取りを行なうスキャナ部であり、107は、前記スキャナ部で読み取った画像データを印刷するプリント部であり、108は、前記ブロックを接続するシステムバスである。
【００２２】
複合機（MFP）100は、メモリ104又はハードディスクドライブ102に記憶されたコンピュータプログラムをＣＰＵ103が実行することにより、後に説明する図３及び図９の処理を行なう。
【００２３】
110は、図１と同様にパーソナルコンピュータ（PC）であり、111は、前記パーソナルコンピュータ（PC）に備わる前記パーソナルコンピュータ（PC）の制御をつかさどる中央演算装置（Central Processing Unit：CPU）であり、112は、前記パーソナルコンピュータ（PC）の処理全般において一時的な記憶領域として使用されるメモリであり、113は、前記パーソナルコンピュータ（PC）に備わるネットワークインターフェースなどの入出力部（Input Output）であり、114は、前記パーソナルコンピュータ（PC）に備わる大容量の記憶装置としてのハードディスクドライブ（HDD）であり、115は、前記パーソナルコンピュータ（PC）の入力情報を出力表示するディスプレイであり、116は、前記パーソナルコンピュータ（PC）にデータ入力を行なうキーボードであり、117は、前記ブロックを接続するシステムバスである。
【００２４】
パーソナルコンピュータ（PC）110は、メモリ112又はハードディスクドライブ114に記憶されたコンピュータプログラムをＣＰＵ111が実行することにより、後に説明する図３及び図９の処理を行なう。
【００２５】
120は、図１と同様にパーソナルコンピュータ（PC）であり、121は、前記パーソナルコンピュータ（PC）に備わる前記パーソナルコンピュータ（PC）の制御をつかさどる中央演算装置（Central Processing Unit：CPU）であり、122は、前記パーソナルコンピュータ（PC）の処理全般において一時的な記憶領域として使用されるメモリであり、123は、前記パーソナルコンピュータ（PC）に備わるネットワークインターフェースなどの入出力部（Input Output）であり、124は、前記パーソナルコンピュータ（PC）に備わる大容量の記憶装置としてのハードディスクドライブ（HDD）であり、125は、前記パーソナルコンピュータ（PC）の入力情報を出力表示するディスプレイであり、126は、前記パーソナルコンピュータ（PC）にデータ入力を行なうキーボードであり、127は、前記ブロックを接続するシステムバスである。
【００２６】
パーソナルコンピュータ（PC）120は、メモリ122又はハードディスクドライブ124に記憶されたコンピュータプログラムをＣＰＵ121が実行することにより、後に説明する図３及び図９の処理を行なう。
【００２７】
130は、図１と同様に前記複合機（MFP）とパーソナルコンピュータ（PC）などを接続する社内LANなどのネットワークである。
【００２８】
このように構成された前記複合機（MFP）100においては、前記パーソナルコンピュータ（PC）110や120から送られてきたページ記述言語（Page Description Language：PDL）で記述された出力情報を受け取ると、前記中央演算装置（Central Processing Unit：CPU）103では、前記複合機（MFP）110のプリント部107が受け取り可能な画像データに変換したり、あるいは、前記複合機（MFP）110のスキャナ部106から読み取った画像データに対して画像圧縮処理などを行なって前記複合機（MFP）の一時記憶領域であるメモリ104にいったん格納し、前記パーソナルコンピュータ（PC）110や120から送られてきた命令にしたがってファクシミリ送信などを行なう。
【００２９】
図３は、本発明の第１の実施形態を説明するフローチャートである。
この図３と、図４、図５、図６、図７、および図８を用いて、本発明の第１の実施形態における実施手順を説明する。
【００３０】
オフィスに置かれ複数のパーソナルコンピュータ（PC）などに接続された複合機（MFP）において、ユーザーがパーソナルコンピュータ（PC）などの上位装置からプリントジョブを実行すると、パーソナルコンピュータ（PC）内のハードディスクドライブ（HDD）114に記憶された制御プログラムが読み出されＣＰＵ111により、前記プリントジョブが機密性を有するセキュアジョブかどうかを判別する処理を実行する（S301）。該制御プログラムは、前記プリントジョブがセキュアジョブだった場合、前記パーソナルコンピュータ（PC）から前記複合機（MFP）に、前記セキュアジョブ情報と前記ユーザーに対応する識別情報（ID）を送信する（S302）。
【００３１】
前記複合機（MFP）は、複合機（MFP）内のハードディスクドライブ（HDD）102に記憶された制御プログラムを読み出し、ＣＰＵ103の制御プログラム処理に従い、前記パーソナルコンピュータ（PC）から、前記セキュアジョブ情報と前記ユーザーに対応する識別情報（ID）を受信すると、前記ユーザーに対応する識別情報（ID）に対する、前記セキュアジョブとは別の未処理のジョブがあるかどうかをジョブが格納されている大容量のハードディスクドライブ（HDD）を検索する（S303）。
【００３２】
複合機（MFP）は、前記ユーザーに対応する識別情報（ID）に対する、前記セキュアジョブとは別の未処理のジョブが存在する場合、前記未処理のジョブ情報を、前記セキュアジョブを送信した送信元であるパーソナルコンピュータ（PC）に送信する（S304）。
【００３３】
ここで、複合機（MFP）が、前記ユーザーに対応する識別情報（ID）に対する、前記セキュアジョブとは別の未処理のジョブが存在する場合、前記未処理のジョブ情報を、前記セキュアジョブを送信した送信元であるパーソナルコンピュータ（PC）に送信する場合の通知方法として、図４を用いて説明する。
【００３４】
図４は、前記ユーザーに対応する識別情報（ID）に対する、前記セキュアジョブとは別の未処理のジョブが存在する場合、前記未処理のジョブ情報を、前記セキュアジョブを送信した送信元であるパーソナルコンピュータ（PC）に送信する場合のダイアログである。
【００３５】
図において、400は、前記ユーザーが操作する前記パーソナルコンピュータ（PC）の画面上に表示されるダイアログであり、401と402は、ユーザーがどちらか一方を選択するためのラジオボタンであり、403は、前記ダイアログ400に表示される処理メッセージに対して、その処理をキャンセルするためのキャンセルボタンであり、404は、前記ダイアログ400に表示される処理メッセージに対して、その処理を実行するための実行ボタンである。
【００３６】
図３において、ユーザーは、前記セキュアジョブとは別の未処理のジョブがある旨を通知されると、その後の処理を、「前記セキュアジョブのみを実行する」（前記セキュアジョブとは別の未処理ジョブは削除する）、あるいは、前記セキュアジョブとは別の「未処理ジョブを一覧表示する」を選択する（S305）。
【００３７】
ユーザーが「未処理のジョブを一覧表示する」処理を選択すると（S306）、前記パーソナルコンピュータ（PC）はディスプレイ115の画面上に未処理ジョブの一覧を表示する。
【００３８】
図５は、ユーザーが「未処理のジョブを一覧表示する」処理を選択した場合の、前記パーソナルコンピュータ（PC）のディスプレイ115上に表示される一覧表示のダイアログである。
【００３９】
図において、500は、前記ユーザーが操作する前記パーソナルコンピュータ（PC）の画面上に表示されるダイアログであり、501は、前記ユーザーに対応する識別情報（ID）であり、502は、前記未処理ジョブを選択するためのチェックボックスであり、503および504は、前記未処理ジョブを選択するためのカーソルであり、505は、前記未処理ジョブを選択した場合に、前記未処理ジョブの画像データを縮小表示して確認するための「サムネイル表示」をするためのボタンであり、506は、前記未処理ジョブを選択した場合に、前記未処理ジョブを消去するためのボタンであり、507は、前記未処理ジョブを選択した場合に、前記未処理ジョブを実行するためのボタンである。なお、このダイアログは、複合機（MFP）上で表示してもよい。
【００４０】
図３において、ユーザーが前記パーソナルコンピュータ（PC）の画面上の未処理ジョブ一覧表示において、前記未処理ジョブを選択するためのチェックボックスにチェックを入れることで未処理ジョブを選択し、前記未処理ジョブ一覧表示において実行ボタンを押すと、前記セキュアジョブと前記未処理ジョブ一覧表示において選択された前記未処理ジョブに対するパスワードを指定する（S307）。
【００４１】
図６は、ユーザーがセキュアジョブおよび未処理ジョブを選択して実行ボタンを押した場合の、前記パーソナルコンピュータ（PC）のディスプレイ１１５上に表示されるパスワード指定のダイアログである。
【００４２】
図において、600は、前記ユーザーが操作する前記パーソナルコンピュータ（PC）の画面上に表示されるダイアログであり、601は、前記ユーザーが前記セキュアジョブと前記未処理一覧表示において選択された前記未処理ジョブに対するパスワードを入力する領域であり、602は、前記ダイアログ600に表示される前記パスワード設定メッセージに対して、その設定をキャンセルするためのキャンセルボタンであり、603は、前記ダイアログ400に表示される処理メッセージに対して、その処理を実行するための実行ボタンである。
【００４３】
図３において、前記セキュアジョブと前記未処理ジョブ一覧表示において選択された前記未処理ジョブに対するパスワードが指定されると、パーソナルコンピュータ（PC）は前記パスワードと前記セキュアジョブと前記未処理ジョブを前記複合機（MFP）に送信する（S308）。
【００４４】
前記複合機（MFP）は、前記セキュアジョブとともに送信された前記未処理ジョブに対する前記大容量記憶装置であるハードディスクドライブ（HDD）に格納されているパスワードを変更する（S309）。すなわち、前記セキュアジョブと、前記未処理ジョブのパスワードが同一のパスワードとなる。
【００４５】
前記複合機（MFP）において、前記セキュアジョブと、前記パスワードが変更された前記未処理ジョブは、大容量記憶装置であるハードディスクドライブ（HDD）に格納される（S310）。セキュアジョブは、パスワード及びユーザーIDと対応付けられて格納される。
【００４６】
ユーザーが前記複合機（MFP）において、前記複合機（MFP）のパネルなどのユーザーインターフェース（UI）から前記セキュアジョブを指定すると（S313）、複合機（MFP）は前記セキュアジョブと前記パスワードが変更された前記未処理ジョブに対するパスワードの認証を行う（S314）。例えば、ユーザーがパネル上でパスワードを入力し、そのパスワードがセキュアジョブのパスワードと一致すれば、以下の処理を行なう。
【００４７】
図７は、前記複合機（MFP）のパネルなどのユーザーインターフェース（UI）に表示されるダイアログである。
【００４８】
図において、700は、前記複合機（MFP）のパネルなどのユーザーインターフェース（UI）に表示されるダイアログであり、701は、前記セキュアジョブと前記パスワード変更された未処理ジョブを選択するためのチェックボックスであり、702は、前記セキュアジョブと前記パスワード変更された未処理ジョブの一覧表示であり、703および704は、前記セキュアジョブおよび前記パスワード変更された未処理ジョブを選択するためのカーソルであり、705は、前記チェックボックスで選択された前記セキュアジョブと前記パスワード変更された未処理ジョブの実行をキャンセルするためのキャンセルボタンであり、706は、前記前記チェックボックスで選択された前記セキュアジョブと前記パスワード変更された未処理ジョブを実行するための実行ボタンであり、707は、前記複合機（MFP）におけるコピー動作モードを選択するためのコピーモード選択ボタンであり、708は、前記複合機（MFP）におけるFAX送信動作モードを選択するためのFAX送信モード選択ボタンであり、709は、前記複合機（MFP）におけるプリント動作モードを選択するためのプリントモード選択ボタンであり、710は、前記複合機（MFP）におけるFAX受信動作モードを選択するためのFAX受信モード選択ボタンであり、711は、前記複合機（MFP）のパネルなどのユーザーインターフェース（UI）において、前記複合機（MFP）のパネルなどのユーザーインターフェース（UI）に表示されるダイアログの画面から、前画面に戻るためのボタンである。
【００４９】
図８は、前記複合機（MFP）のパネルなどのユーザーインターフェース（UI）に表示される、前記プリント動作モードを選択した場合のダイアログである。
【００５０】
図において、800は、前記複合機（MFP）のパネルなどのユーザーインターフェース（UI）に表示されるダイアログであり、801は、前記ユーザーが前記セキュアジョブと前記未処理一覧表示において選択された前記未処理ジョブに対するパスワードを入力する領域であり、802は、前記ダイアログ800に表示される前記パスワード設定メッセージに対して、その設定をキャンセルするためのキャンセルボタンであり、803は、前記ダイアログ800に表示される処理メッセージに対して、その処理を実行するための実行ボタンである。
【００５１】
図３において、前記セキュアジョブと前記パスワードが変更された前記未処理ジョブに対するパスワードの認証が正しく行なわれた場合、前記複合機（MFP）は、前記セキュアジョブと前記パスワード変更された前記未処理ジョブを実行する。たとえば前記セキュアジョブがプリントジョブであった場合は、プリント動作モードが動作し（S315）、前記パスワード変更された前記未処理ジョブのひとつがコピージョブであった場合は、コピー動作モードが動作し（S316）、前記パスワード変更された前記未処理ジョブのひとつがFAX送信ジョブであった場合は、FAX送信動作モードが動作し（S317）、前記パスワード変更された前記未処理ジョブのひとつがFAX受信ジョブであった場合は、FAX受信動作モードが動作する（S318）。
【００５２】
また、前記ユーザーに対応する識別情報（ID）に対する、前記セキュアジョブとは別の未処理のジョブが存在しない場合（S303）、ユーザーが前記セキュアジョブに対するパスワードを指定し（S311）、パーソナルコンピュータ（PC）が前記セキュアジョブの対するパスワードを前記複合機（MFP）に送信する（S312）。
【００５３】
前記複合機（MFP）において、前記セキュアジョブは、大容量記憶装置であるハードディスクドライブ（HDD）に格納される（S310）。
【００５４】
以下の処理については、同様に、複合機（MFP）において、たとえば前記セキュアジョブがプリントジョブであった場合は、プリント動作モードが動作し（S315）、前記パスワード変更された前記未処理ジョブのひとつがコピージョブであった場合は、コピー動作モードが動作し（S316）、前記パスワード変更された前記未処理ジョブのひとつがFAX送信ジョブであった場合は、FAX送信動作モードが動作し（S317）、前記パスワード変更された前記未処理ジョブのひとつがFAX受信ジョブであった場合は、FAX受信動作モードが動作する（S318）。
【００５５】
また、ステップS306において、未処理ジョブを処理しない場合、上記と同様に、ステップS311以降の処理を行なう。
【００５６】
図９は、本発明の第２の実施形態を説明するフローチャートである。
第２の実施形態は、第１の実施形態において、セキュアジョブが連続して送信された場合に、どのように処理するかという点に特徴がある。
【００５７】
オフィスに置かれ複数のパーソナルコンピュータ（PC）などに接続された複合機（MFP）において、ユーザーがパーソナルコンピュータ（PC）などの上位装置からプリントジョブを実行すると、パーソナルコンピュータ（PC）内のハードディスクドライブ（HDD）114に記憶された制御プログラムが読み出されＣＰＵ111により、前記プリントジョブが機密性を有するセキュアジョブかどうかを判別する処理を実行する（S901）。該制御プログラムは、前記プリントジョブがセキュアジョブだった場合、前記パーソナルコンピュータ（PC）から前記複合機（MFP）に、前記セキュアジョブ情報と前記ユーザーに対応する識別情報（ID）を送信する（S902）。
【００５８】
前記複合機（MFP）は、複合機（MFP）内のハードディスクドライブ（HDD）102に記憶された制御プログラムを読み出し、ＣＰＵ103の制御プログラム処理に従い、前記パーソナルコンピュータ（PC）から、前記セキュアジョブ情報と前記ユーザーに対応する識別情報（ID）を受信すると、前記ユーザーに対応する識別情報（ID）の直前のセキュアジョブからの経過時間を、あらかじめ設定されている経過時間と比較する（S903）。前記ユーザーに対応する識別情報（ID）の直前のセキュアジョブからの経過時間が、あらかじめ設定されている経過時間より大きい場合には、前記ユーザーに対応する識別情報（ID）に対する、前記セキュアジョブとは別の未処理のジョブがあるかどうかをジョブが格納されている大容量のハードディスクドライブ（HDD）を検索する（S904）。
【００５９】
複合機（MFP）は、前記ユーザーに対応する識別情報（ID）に対する、前記セキュアジョブとは別の未処理のジョブが存在する場合、前記未処理のジョブ情報を、前記セキュアジョブを送信した送信元であるパーソナルコンピュータ（PC）に送信する（S905）。
【００６０】
ユーザーは、前記セキュアジョブとは別の未処理のジョブがある旨を通知されると、その後の処理を、「前記セキュアジョブのみを実行する」（前記セキュアジョブとは別の未処理ジョブは削除する）、あるいは、前記セキュアジョブとは別の「未処理ジョブを一覧表示する」を選択する（S906）。
【００６１】
ユーザーが「未処理のジョブを一覧表示する」処理を選択すると（S907）、前記パーソナルコンピュータ（PC）はディスプレイ115の画面上に未処理ジョブの一覧を表示する。
【００６２】
ユーザーが前記パーソナルコンピュータ（PC）の画面上の未処理ジョブ一覧表示において、前記未処理ジョブを選択するためのチェックボックスにチェックを入れることで未処理ジョブを選択し、前記未処理ジョブ一覧表示において実行ボタンを押すと、前記セキュアジョブと前記未処理ジョブ一覧表示において選択された前記未処理ジョブに対するパスワードを指定する（S908）。
【００６３】
前記セキュアジョブと前記未処理ジョブ一覧表示において選択された前記未処理ジョブに対するパスワードが指定されると、パーソナルコンピュータ（PC）は前記パスワードと前記セキュアジョブと前記未処理ジョブを前記複合機（MFP）に送信する（S909）。
【００６４】
前記複合機（MFP）は、前記セキュアジョブとともに送信された前記未処理ジョブに対する前記大容量記憶装置であるハードディスクドライブ（HDD）に格納されているパスワードを変更する（S910）。すなわち、前記セキュアジョブと、前記未処理ジョブのパスワードが同一のパスワードとなる。
【００６５】
前記複合機（MFP）において、前記セキュアジョブと、前記パスワードが変更された前記未処理ジョブは、大容量記憶装置であるハードディスクドライブ（HDD）に格納される（S911）。
【００６６】
ユーザーが前記複合機（MFP）において、前記複合機（MFP）のパネルなどのユーザーインターフェース（UI）から前記セキュアジョブを指定すると（S914）、複合機（MFP）は前記セキュアジョブと前記パスワードが変更された前記未処理ジョブに対するパスワードの認証を行なう（S915）。
【００６７】
前記セキュアジョブと前記パスワードが変更された前記未処理ジョブに対するパスワードの認証が正しく行なわれた場合、前記複合機（MFP）は、前記セキュアジョブと前記パスワード変更された前記未処理ジョブを実行する。たとえば前記セキュアジョブがプリントジョブであった場合は、プリント動作モードが動作し（S916）、前記パスワード変更された前記未処理ジョブのひとつがコピージョブであった場合は、コピー動作モードが動作し（S917）、前記パスワード変更された前記未処理ジョブのひとつがFAX送信ジョブであった場合は、FAX送信動作モードが動作し（S918）、前記パスワード変更された前記未処理ジョブのひとつがFAX受信ジョブであった場合は、FAX受信動作モードが動作する（S919）。
【００６８】
また、前記ユーザーに対応する識別情報（ID）の直前のセキュアジョブからの経過時間が、あらかじめ設定されている経過時間より小さい場合（S903）、また、前記ユーザーに対応する識別情報（ID）に対する、前記セキュアジョブとは別の未処理のジョブが存在しない場合（S904）、ユーザーが前記セキュアジョブに対するパスワードを指定し（S912）、パーソナルコンピュータ（PC）が前記セキュアジョブの対するパスワードを前記複合機（MFP）に送信する（S913）。
【００６９】
前記複合機（MFP）において、前記セキュアジョブは、大容量記憶装置であるハードディスクドライブ（HDD）に格納される（S911）。
【００７０】
以下の処理については、同様に、複合機（MFP）において、たとえば前記セキュアジョブがプリントジョブであった場合は、プリント動作モードが動作し（S916）、前記パスワード変更された前記未処理ジョブのひとつがコピージョブであった場合は、コピー動作モードが動作し（S917）、前記パスワード変更された前記未処理ジョブのひとつがFAX送信ジョブであった場合は、FAX送信動作モードが動作し（S918）、前記パスワード変更された前記未処理ジョブのひとつがFAX受信ジョブであった場合は、FAX受信動作モードが動作する（S919）。
【００７１】
また、ステップS907において、未処理ジョブを処理しない場合、上記と同様に、ステップS912以降の処理を行う。
【００７２】
なお、上記のセキュアジョブ（機密性ジョブ）は、印刷動作を行なう印刷ジョブ情報、複写動作を行なう複写ジョブ情報、スキャン動作を行なうスキャンジョブ情報、ファクシミリ送受信動作を行なうファクシミリ送受信ジョブ情報、又は電子メールの送受信動作を行なう電子メール送受信ジョブ情報等である。ここでは、機密性ジョブとは、親展印刷モードがジョブの属性としてジョブ自体に設定された、又は、複合機の操作パネルにて設定されたジョブを含む。親展印刷モードが設定されている場合は、ジョブは複合機内のハードディスク内に留め置かれ、ユーザのパスワードの入力を待って複合機が出力又は印刷処理を続行する。
【００７３】
複合機は、デジタル画像を扱うことが可能であり、ページ記述言語（PDL）で記述された出力情報を画像展開するときの展開時間がデータの内容によって大幅に異なるため、複写機能、画像読み取り（スキャナ）機能、印刷（プリンタ）機能、ファクシミリ機能、などの複数の諸機能を見かけ上同時に実行（並行処理）することが可能となり、プリンタやスキャナの効率の良い使用が可能となる。すなわち、前記複合機においては、複数ページあるいは複数部数の画像データが蓄積された時点で、前記画像データを一括してリアルタイムに伸張しながら出力するので、複写機能が動作していないにもかかわらずプリントジョブ実行中は他のジョブ処理を実行することができないという不具合を解消することができる。
【００７４】
以上説明したように、第１及び第２の実施形態では、図４及び図５の画面を表示して未処理のセキュアジョブが残存することをユーザーに通知することができる。出力する文書情報の機密性を確保する場合において、ユーザーがセキュアジョブを指定したまま、その実際の実行動作を長時間放置したり忘れてしまったりした場合に、次のセキュアジョブを指定した際、以前の未処理のセキュアジョブをユーザーに通知して、一覧表示から未処理のセキュアジョブの実行を再度可能にすることによって、セキュアジョブの実行し忘れを防止することが可能である。
【００７５】
また、図６に示すように、新規のセキュアジョブと未処理のセキュアジョブとを同じパスワードに設定することができる。出力する文書情報の機密性を確保する場合において、ユーザーがセキュアジョブを指定したまま、そのセキュアジョブのパスワードを忘れてしまった場合に、次のセキュアジョブを指定した際、前記次のセキュアジョブのパスワードを以前のパスワードを忘れてしまったセキュアジョブのパスワードと同じに変更することによって、セキュアジョブの実行し忘れを防止することが可能である。
【００７６】
また、第２の実施形態（図９）のように、出力する文書情報の機密性を確保する場合において、あらかじめ設定した時間の経過をみて、次のセキュアジョブの指定の際に、未処理のセキュアジョブが存在するかどうかを判断することによって、ユーザーがセキュアジョブを連続して指定した場合に、未処理のセキュアジョブがある旨の通知を抑制することが可能である。
【００７７】
本実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７８】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００７９】
本発明の実施態様の例を以下に列挙する。
【００８０】
［実施態様１］
画像処理装置及び情報処理装置がネットワークを介して接続された画像処理システムであって、
前記画像処理装置は、
第１の機密性ジョブ情報及びユーザー識別情報を受信する受信手段と、
前記ユーザー識別情報に対応する前記第１の機密性ジョブ情報とは別の未処理の第２の機密性ジョブ情報が存在するか否かを検索する検索手段と、
前記第２の機密性ジョブ情報が存在する場合にはその旨を送信する送信手段とを有し、
前記情報処理装置は、
第１の機密性ジョブ情報及びユーザー識別情報を送信する送信手段と、
前記ユーザー識別情報に対応する前記第１の機密性ジョブ情報とは別の未処理の第２の機密性ジョブ情報が存在するか否かの情報を受信する受信手段とを有することを特徴とする画像処理システム。
［実施態様２］
第１の機密性ジョブ情報及びユーザー識別情報を受信する第１の受信ステップと、
前記ユーザー識別情報に対応する前記第１の機密性ジョブ情報とは別の未処理の第２の機密性ジョブ情報が存在するか否かを検索する検索ステップと、
前記第２の機密性ジョブ情報が存在する場合にはその旨を送信する送信ステップと
をコンピュータに実行させるためのプログラムを記録したコンピュータ読み取り可能な記録媒体。
［実施態様３］
第１の機密性ジョブ情報及びユーザー識別情報を送信する第１の送信ステップと、
前記ユーザー識別情報に対応する前記第１の機密性ジョブ情報とは別の未処理の第２の機密性ジョブ情報が存在するか否かの情報を受信する受信ステップと
をコンピュータに実行させるためのプログラムを記録したコンピュータ読み取り可能な記録媒体。
【図面の簡単な説明】
【００８１】
【図１】本発明の実施形態の構成を説明する図である。
【図２】本発明の実施形態の構成要素を詳細に説明する図である。
【図３】本発明の第１の実施形態を説明するフローチャートである。
【図４】パーソナルコンピュータ（PC）の画面上に表示される未処理ジョブを通知するダイアログを示す図である。
【図５】パーソナルコンピュータ（PC）の画面上に表示される一覧表示の一例を示す図である。
【図６】パーソナルコンピュータ（PC）の画面上に表示されるパスワード指定のダイアログを示す図である。
【図７】複合機（MFP）のパネルなどのユーザーインターフェース（UI）に表示される一覧表示の一例を示す図である。
【図８】複合機（MFP）のパネルなどのユーザーインターフェース（UI）に表示されるプリント動作モードでのパスワード指定のダイアログを示す図である。
【図９】本発明の第２の実施形態を説明するフローチャートである。
【符号の説明】
【００８２】
100  複合機（MFP）
101  ユーザーインターフェース（UI）
102  ハードディスクドライブ（HDD）
103  中央演算装置（Central Processing Unit：CPU）
104  メモリ
105  入出力部（Input Output）
106  スキャナ部
107  プリント部
108  システムバス
110  パーソナルコンピュータ（PC）
111  中央演算装置（Central Processing Unit：CPU）
112  メモリ
113  入出力部（Input Output）
114  ハードディスクドライブ（HDD）
115  ディスプレイ
116  キーボード
117  システムバス
120  パーソナルコンピュータ（PC）
121  中央演算装置（Central Processing Unit：CPU）
122  メモリ
123  入出力部（Input Output）
124  ハードディスクドライブ（HDD）
125  ディスプレイ
126  キーボード
127  システムバス
130  ネットワーク
400  ダイアログ
401  ラジオボタン
402  ラジオボタン
403  キャンセルボタン
404  実行ボタン
500  ダイアログ
501  ユーザーID表示ボックス
502  チェックボックス
503  選択カーソル
504  選択カーソル
505  サムネイル表示ボタン
506  消去ボタン
507  ジョブ実行ボタン
600  ダイアログ
601  パスワード入力ボックス
602  キャンセルボタン
603  実行ボタン
700  ダイアログ
701  チェックボックス
702  ダイアログ
703  選択カーソル
704  選択カーソル
705  キャンセルボタン
706  実行ボタン
707  コピーボタン
708  FAX送信ボタン
709  プリントボタン
710  FAX受信ボタン
711  戻るボタン
800  ダイアログ
801  パスワード入力ボックス
802  キャンセルボタン
803  実行ボタン
【図１】
2005144993.tif 000003
【図２】
2005144993.tif 000004
【図３】
2005144993.tif 000005
【図４】
2005144993.tif 000006
【図５】
2005144993.tif 000007
【図６】
2005144993.tif 000008
【図７】
2005144993.tif 000009
【図８】
2005144993.tif 000010
【図９】
2005144993.tif 000011